(57)【特許請求の範囲】
【請求項１】
所定の直径の管体からなり、両端部に雄ねじ部が形成されたライナーと、
外面に結合部が形成され、中心部には貫通孔が形成され、内面が前記ライナーの端部に密着するようにライナーの両端部に対称的に設置されるインサートと、
前記ライナーの端部と前記インサートの内面との間に設置されて気密を保つ第１シール部材と、
前記雄ねじ部に螺合される雌ねじ部を形成し、前記結合部が挿入される結合孔を備え、前記雄ねじ部に螺合されながら前記インサートをライナーの端部に加圧密着させる締結部材と、
前記ライナーの外周面全体を包み込むように巻き取られ、両端部が前記締結部材に取り付けられて固定される補強ワイヤーとを含むことを特徴とする、高圧ガス貯蔵用圧力容器。
【請求項２】
前記雄ねじ部は、
前記ライナーとは独立して設けられたねじリングの外周面に形成され、ねじリングをライナーの端部に溶接して一体にすることを特徴とする、請求項１に記載の高圧ガス貯蔵用圧力容器。
【請求項３】
前記締結部材は、
前記雌ねじ部から外側に所定の長さだけ突設され、前記ライナーの外周面を包み込む環状のカバーリング部をさらに備えることを特徴とする、請求項１に記載の高圧ガス貯蔵用圧力容器。
【請求項４】
前記締結部材は、内側端部に前記補強ワイヤーの端部が挿入されて溶接される挿入溝をさらに備えることを特徴とする、請求項１に記載の高圧ガス貯蔵用圧力容器。
【請求項５】
前記ライナーの端部と前記インサートの内面との間には、前記第１シール部材よりもさらに大きい直径を有する第２シール部材をさらに備えることを特徴とする、請求項１に記載の高圧ガス貯蔵用圧力容器。
【請求項６】
前記インサートは、
内面から外面に貫通する漏れ誘導孔が形成され、
漏れ誘導孔の内側入口は前記第１シール部材と前記第２シール部材との間に位置し、
漏れ誘導孔の外側出口にはガス漏れ検知手段が設置されることを特徴とする、請求項５に記載の高圧ガス貯蔵用圧力容器。
【請求項７】
前記ガス漏れ検知手段は、前記漏れ誘導孔を介して漏れるガスと反応して色が変わる変色表示部を備えることを特徴とする、請求項６に記載の高圧ガス貯蔵用圧力容器。
【請求項８】
前記ガス漏れ検知手段は、前記漏れ誘導孔を介して漏れるガスの圧力を検知する圧力検知部を備えることを特徴とする、請求項６に記載の高圧ガス貯蔵用圧力容器。
【請求項９】
前記ガス漏れ検知手段は、
前記漏れ誘導孔を介して漏れるガスを検知するガス検知部と、
前記ガス検知部の漏れ検知による通知信号を送信する無線送信部と、
前記無線送信部で送信された信号を受信する無線受信部と、
前記無線受信部で受信された信号に応じて視聴覚的手段で出力される通知部とを含むことを特徴とする、請求項６に記載の高圧ガス貯蔵用圧力容器。
【発明の詳細な説明】
【技術分野】
【０００１】
本発明は、高圧ガス貯蔵用圧力容器に係り、より詳細には、締結部材をライナーの外側に螺合して中空部の容積縮小を防止し、別途設けられたねじリングをライナーに溶接してねじ部を形成することにより、ねじ部の加工性及び精度が向上するようにし、締結部材によってライナーの強度が補強されるようにし、ライナーに巻き取られる補強ワイヤーの端部を締結部材に溶接して固定することにより、ライナーの劣化を防止することができるようにした高圧ガス貯蔵用圧力容器に関する。
【背景技術】
【０００２】
産業化が急速に進んで化石燃料の消費量が指数関数的に増加するにつれて、環境汚染が深刻な社会問題として台頭しているので、世界角国では、環境汚染の主犯とされる自動車の排気ガスを削減するために多くの努力を傾けている。
【０００３】
その一例として、従来の自動車燃料であるガソリンや軽油を代替するためのクリーン燃料として水素燃料が開発された。
【０００４】
水素燃料は、地球上で炭素と窒素の次に最も豊富な元素であるだけでなく、燃焼時にごく微量の窒素酸化物のみを生成させ、他の公害物質は全く排出しないクリーンなエネルギー源であり、地球上に存在するほぼ無限の量の水を原料にして作ることができ、使用後には再び水に再循環されるので、枯渇の恐れもほとんどない最適なエネルギー源である。
【０００５】
したがって、水素燃料は、現在直面している資源枯渇、環境汚染などの様々な問題を解決することができる次世代燃料として注目されており、自動車燃料分野や産業体、一般家庭で水素を活用するための各種の研究が盛んに行われている。
【０００６】
一方、水素をエネルギー源として商用化するには水素ステーションの構築が優先されるべきであるが、そのためには、水素を高圧で圧縮する圧縮機とともに、高圧の水素を効率よく貯蔵することができる水素貯蔵用圧力容器の開発が要求される。
【０００７】
水素貯蔵のための容器は、水素ガスを高圧で圧縮して貯蔵する容器であって、その内部ガスは充・放電の際に−４０℃と８５℃を行き来する環境にさらされ、３０年の目標寿命に応じて少なくとも１０、０００回の繰り返し耐久性を確保しなければならない部品である。
【０００８】
高圧ガスを貯蔵するための圧力容器は、使用材料と複合材料の強化方法によってＴｙｐｅ−１、Ｔｙｐｅ−２、Ｔｙｐｅ−３、Ｔｙｐｅ−４など４つの方式に区分され、輸送用チューブトレーラや水素ステーション用、水素電気自動車搭載用などに用いられている。
【０００９】
Ｔｙｐｅ−３およびＴｙｐｅ−４方式は、炭素素材を使用することにより、より軽いという特性があり、燃費に直結される重量により車両用に適するものの、製作コストが高い欠点を持っている。
【００１０】
これにより、重量による問題がなく、大容量貯蔵が必要な地上では主にＴｙｐｅ−１、２の方式で貯蔵問題を解決しており、Ｔｙｐｅ−２方式は、金属材でできたライナーに、ガラス繊維または炭素繊維を樹脂に含浸させた補強材をワインディングしたものであって、貯蔵圧力を高めることができるのみならず、金属材でできたＴｙｐｅ−１方式に比べて重量が軽いため、地上設置用の大容量圧力容器として好まれている。
【００１１】
一方、前述したように、高圧ガス貯蔵用圧力容器は、内部に高圧ガスを充填したり、圧力の測定または残留ガス容量の測定のためのゲージなどの各種付属装置を設置したりするために、圧力容器のライナーの内周面に雌ねじ部を形成し、雄ねじ部付きのキャップを前記雌ねじ部に螺合するようにするが、螺合部のガス漏れを防止するために気密パッキンを介在する。
【００１２】
ところが、従来の大容量圧力容器は、ライナーの端部に形成された雌ねじ部に螺合されるキャップがガスの充填されるライナーの中空部内に投入された状態で、螺合が行われることにより、キャップが中空部の空間を相当部分占有してガス貯蔵のための中空部の容積が減少するという欠点がある。
【００１３】
また、キャップの螺合によるライナー両端部の密閉力を高めるためにキャップを過度に締め付けた場合、むしろキャップの締め付け圧力によってライナー両端部の内径が拡張されながら、ライナーの雌ねじとキャップの雄ねじ部との間に遊隔が発生することにより、ガス漏れの可能性が増加するという欠点がある。
【００１４】
また、大容量圧力容器の場合に長さが数メートルに達し、容量が大きい場合には１０ｍを超えることもあるなど長さが非常に長く、一端部の内周面に雌ねじ部を形成するためには、長さの長い圧力容器のハンドリングが困難であって雌ねじ部の精密加工が難しいという欠点もある。また、Ｔｙｐｅ−２方式の圧力容器は、強度補強のためにライナーの外部に金属材の補強ワイヤーを巻き取ったりもするが、このように巻き取られた補強ワイヤーの両端部を固定するためには、補強ワイヤーを圧力容器のライナーに溶接して固定しなければならないことにより、溶接中に圧力容器に加わる高温の加熱により圧力容器に劣化による損傷が発生してガス漏れの危険を高めるという欠点もある。
【先行技術文献】
【特許文献】
【００１５】
【特許文献１】韓国特許第１０−０８０４７８９号公報
【発明の概要】
【発明が解決しようとする課題】
【００１６】
本発明の高圧ガス貯蔵用圧力容器は、前述した従来技術の問題点を解消するためになされたもので、ライナーの外周面に雄ねじ部を形成して締結部材を螺合することにより、ガスが充填される中空部の容積縮小を最小限に抑えることを目的とする。
【００１７】
また、ライナーとは別に設けられたねじリングをライナーに溶接して一体にすることにより、ねじ部の加工性と精度を向上させることを目的とする。
【００１８】
また、ライナーに螺合される締結部材によってライナーの強度が補強されるようにすることを目的とする。
【００１９】
また、ライナーの外周面に巻き取られる補強ワイヤーの端部を締結部材に溶接して固定することにより、ライナーの劣化を防止することを目的とする。
【００２０】
また、ライナーの外周面に巻き取られた補強ワイヤーが、ライナーの両端部に螺合された締結部材によって支持されるようにして、補強ワイヤーの巻取り状態が安定的に維持されるようにすることを目的とする。
【００２１】
本発明の高圧ガス貯蔵用圧力容器は、前述した従来技術の問題点を解消するためになされたもので、漏れ検知手段を備えることにより、ガス漏れの際にこれを迅速かつ簡単に検知することができるようにすることを目的とする。
【課題を解決するための手段】
【００２２】
上記の目的を達成するために、本発明の高圧ガス貯蔵用圧力容器は、
所定の直径の管体からなり、両端部に雄ねじ部が形成されたライナーと、
外面に結合部が形成され、中心部には貫通孔が形成され、内面が前記ライナーの端部に密着するようにライナーの両端部に対称的に設置されるインサートと、
前記ライナーの端部とインサートの内面との間に設置されて気密を保つ第１シール部材と、
前記雄ねじ部に螺合される雌ねじ部を形成し、前記結合部が挿入される結合孔を備え、前記雄ねじ部に螺合されながら前記インサートをライナーの端部に加圧密着させる締結部材と、
前記ライナーの外周面全体を包み込むように巻き取られ、両端部が前記締結部材に取り付けられて固定される補強ワイヤーとを含む。
【００２３】
前記雄ねじ部は、前記ライナーとは独立して設けられたねじリングの外周面に形成され、ねじリングをライナーの端部に溶接して一体にすることを特徴とする。
【００２４】
前記締結部材は、前記雌ねじ部から外側に所定の長さだけ突設され、前記ライナーの外周面を包み込む環状のカバーリング部をさらに備えることを特徴とする。
【００２５】
前記締結部材は、内側端部に前記補強ワイヤーの端部が挿入されて溶接される挿入溝をさらに備えることを特徴とする。
【００２６】
前記ライナーの端部とインサートの内面との間には、前記第１シール部材よりもさらに大きい直径を有する第２シール部材をさらに備えることを特徴とする。
【００２７】
前記インサートは、内面から外面に貫通する漏れ誘導孔が形成され、漏れ誘導孔の内側入口は前記第１シール部材と第２シール部材との間に位置し、漏れ誘導孔の外側出口にはガス漏れ検知手段が設置されることを特徴とする。
【００２８】
前記ガス漏れ検知手段は、前記漏れ誘導孔を介して漏れるガスと反応して色が変わる変色表示部を備えることを特徴とする。
【００２９】
前記ガス漏れ検知手段は、前記漏れ誘導孔を介して漏れるガスの圧力を検知する圧力検知部を備えることを特徴とする。
【００３０】
前記ガス漏れ検知手段は、
前記漏れ誘導孔を介して漏れるガスを検知するガス検知部と、
前記ガス検知部の漏れ検知による通知信号を送信する無線送信部と、
前記無線送信部で送信された信号を受信する無線受信部と、
前記無線受信部で受信された信号に応じて視聴覚的手段で出力される通知部とを含むことを特徴とする。
【発明の効果】
【００３１】
本発明の高圧ガス貯蔵用圧力容器は、ライナーの外周面に雄ねじ部を形成して締結部材を螺合することにより、ガスの充填される中空部の容積縮小を最小限に抑えるという効果がある。
【００３２】
また、ライナーとは別に設けられたねじリングをライナーに溶接して一体にすることにより、ねじ部の加工性及び精度を向上させることができるという効果がある。
【００３３】
また、ライナーに螺合される締結部材がライナー両端部の外周面を包み込む形になることにより、ライナーの強度が補強されるという効果がある。
【００３４】
また、ライナーの外周面に巻き取られる補強ワイヤーの端部を締結部材に溶接して固定することにより、ライナーの劣化を防止することができるという効果がある。
【００３５】
また、ライナーの外周面に巻き取られた補強ワイヤーが、ライナーの両端部に螺合された締結部材によって支持されるようにして、補強ワイヤーの巻取り状態が安定的に維持されることにより、補強ワイヤーによるライナーの増大した強度が安定的に維持されるという効果がある。
【００３６】
また、漏れ検知手段を備えることにより、ガス漏れの際にこれを迅速かつ簡単に検知することができるという効果がある。
【図面の簡単な説明】
【００３７】
【図１】本発明の高圧ガス貯蔵用圧力容器の実施形態に係る斜視図である。
【図２】本発明の高圧ガス貯蔵用圧力容器の実施形態に係る一端部の断面図である。
【図３】本発明の高圧ガス貯蔵用圧力容器のねじ部の別の実施形態を示す一端部の断面図である。
【図４】本発明の高圧ガス貯蔵用圧力容器の第１シール部材の別の設置状態を示す一端部の断面図である。
【図５】本発明の高圧ガス貯蔵用圧力容器の締結部材の別の実施形態を示す一端部の断面図である。
【図６】本発明の高圧ガス貯蔵用圧力容器の第２シール部材、漏れ誘導孔及びガス漏れ検知手段を示す一端部の断面図である。
【図７】本発明の高圧ガス貯蔵用圧力容器の第２シール部材と漏れ誘導孔の別の実施形態を示す一端部の断面図である。
【図８】本発明の高圧ガス貯蔵用圧力容器のガス漏れ検知手段の別の実施形態を示す一端部の断面図である。
【発明を実施するための形態】
【００３８】
以下、本発明の高圧ガス貯蔵用圧力容器を詳細に説明するにあたり、本発明に係る実施形態に基づいて説明したものであって、本発明の技術を本文書に記載された実施形態に限定しようとするものではなく、本発明の実施形態の様々な変更（ｍｏｄｉｆｉｃａｔｉｏｎｓ）、均等物（ｅｑｕｉｖａｌｅｎｔｓ）、および／または代替物（ａｌｔｅｒｎａｔｉｖｅｓ）を含むものと理解されるべきである。
【００３９】
併せて、本発明の実施形態を説明する上で、本発明の構成による作用効果を明示的に記載して説明してはいないとしても、当該構成によって予測可能な効果も認められなければならないのは当然である。
【００４０】
図１は本発明の高圧ガス貯蔵用圧力容器の実施形態に係る斜視図、図２は本発明の高圧ガス貯蔵用圧力容器の実施形態に係る一端部の断面図、図３は本発明の高圧ガス貯蔵用圧力容器のねじ部の別の実施形態を示す一端部の断面図、図４は本発明の高圧ガス貯蔵用圧力容器の第１シール部材３０の別の設置状態を示す一端部の断面図である。
【００４１】
まず、図１乃至図４を参照して説明する。
本発明の高圧ガス貯蔵用圧力容器は、ライナー１０、インサート２０、第１シール部材３０、締結部材４０、及び補強ワイヤー５０を含む。
【００４２】
前記ライナー１０は、所定の直径の金属管体からなり、内部に高圧ガスが充填される中空部１０１を有するが、長さ方向に沿って同じ厚さと同じ直径で形成することが好ましい。
ライナー１０の両端部の外周面には雄ねじ部１０２が形成されることにより、前記締結部材４０が螺合される。
【００４３】
前記ライナー１０の雄ねじ部１０２は、前記ライナー１０とは独立して設けられたねじリング１０４の外周面に形成される。そのねじリング１０４をライナー１０の端部に溶接して一体にすることができる。
【００４４】
したがって、長さが数メートルに及ぶライナー１０の両端部の外周面に直接雄ねじを加工せず、長さの短い別途のねじリング１０４の外周面に雄ねじ部１０２を形成し、これをライナー１０の両端部に締まりばめした後、溶接して一体にするので、雄ねじ部１０２の加工性と精度を向上させることができる。
【００４５】
前記インサート２０は、ライナー１０の両端部に密着するように対称的に設置されるが、結合部２０１及び貫通孔２０２を含む。
【００４６】
インサート２０は、前記締結部材４０によって前記ライナー１０の両端部に密着固定されることにより、ライナー１０の中空部１０１がインサート２０によって密閉される。
前記結合部２０１は、前記インサート２０の外面中央から外方に突設されて前記締結部材４０と結合される。
【００４７】
前記貫通孔２０２は、インサート２０の中心部に形成されるが、インサート２０の内面から前記結合部２０１の外面まで貫通するように形成される。この際、前記貫通孔２０２の外側出口には、前記ライナー１０の中空部１０１に高圧ガスを充填するための配管設備Ｐの接続が可能となるようにねじ山を形成することが好ましい。
【００４８】
前記第１シール部材３０は、前記ライナー１０の端部とインサート２０の内面との間に設置され、前記中空部１０１の気密を保つ。
【００４９】
第１シール部材３０の安定な設置のために、図２に示すように、前記ライナー１０の端部の内周面角部には、凹んだ第１設置溝１０３を形成して前記第１設置溝１０３の内部に前記第１シール部材３０を挿設することが好ましい。
【００５０】
また、第１シール部材３０は、図４に示すように、インサート２０の内面に凹んだ第２設置溝２０３を形成することにより、前記第２設置溝２０３の内部に挿設することも可能である。
【００５１】
上述のように設置される第１シール部材３０は、前記ライナー１０の端部と、前記インサート２０の内面との間に介在するように環状に設置され、弾性接触によって気密性が保たれることにより、ライナー１０の外面とインサート２０の内面との間でガス漏れが発生することを防止する。
【００５２】
前記第１シール部材３０は、弾性変形が可能なゴムまたは合成ゴム材でできたＯリングを使用することが好ましいが、これに限定するものではなく、金属材でできたＯリングを使用することができる。
【００５３】
前記締結部材４０は、雌ねじ部４０１及び結合孔４０２を備える。
【００５４】
前記雌ねじ部４０１は、前記ライナー１０の雄ねじ部１０２に螺合される。
【００５５】
前記結合孔４０２には、前記インサート２０の結合部２０１が挿入される。
【００５６】
したがって、前記雌ねじ部４０１がライナー１０の雄ねじ部１０２に螺合されることにより、前記インサート２０の結合部２０１が締結部材４０の結合孔４０２に挿入され、それにより、ライナー１０に螺合される締結部材４０とインサート２０の中心がライナー１０の中心と一致しながら前記インサート２０の内面がライナー１０の端部に加圧密着される。
また、締結部材４０を締め付けることにより、インサート２０がライナー１０の方向に加圧密着されながら、ライナー１０の端部とインサート２０の内面との距離がさらに近づき、それにより、ライナー１０とインサート２０との間に介在した第１シール部材３０がさらに緊密に密着して気密性が向上する。
【００５７】
また、締結部材４０がライナー１０の端部を外部から包み込む形で螺合が行われることにより、締結部材４０の締結過程でライナー１０の端部が外向きに広がったり、ライナー１０と締結部材４０との間に遊隔が発生してガスが漏れたりすることを防止することができる。
上述のように、締結部材４０は、インサート２０とは独立して製作されてライナー１０に螺合されることにより、締結の便宜性を高めることができる。
【００５８】
前記締結部材４０は、前記雌ねじ部４０１から外側に所定の長さだけ突設され、前記ライナー１０の外周面を包み込む環状のカバーリング部４０３をさらに備えることができる。
したがって、前記締結部材４０の雌ねじ部４０１が雄ねじ部１０２に螺合されたとき、前記カバーリング部４０３は、ライナー１０の雄ねじ部１０２の内側外周面と接しながら雄ねじ部１０２が外部に露出しないようにカバーリングすることにより、雄ねじ部１０２に補強ワイヤー５０が巻き取られながら補強ワイヤー５０が不均一に積層されることを防止する。
【００５９】
一方、前記雌ねじ部４０１の長さを前記雄ねじ部１０２の長さよりもさらに長くすることにより、締結部材４０がライナー１０に螺合されたとき、雄ねじ部１０２が外部に露出しないようにすることにより、雄ねじ部１０２に補強ワイヤー５０が巻き取られながら補強ワイヤー５０が不均一に積層されることを防止する。
【００６０】
また、雄ねじ部１０２の加工が行われることにより厚さが薄くなって強度が低下するライナー１０の雄ねじ部１０２全体に締結部材４０の雌ねじ部４０１が螺合されることにより、締結部材４０がライナー１０の雄ねじ部１０２の強度を補強する。
【００６１】
締結部材４０の断面形状は、円形または多角形であってもよい。
【００６２】
締結部材４０の断面が多角形に形成される場合には、床上に配置されても、意図していない転がり運動を防止することができる。
【００６３】
前記締結部材４０は、ねじ方式で前記ライナー１０に結合される構造を採用することにより、メンテナンスのための十分な開口空間を確保するとともに、装着／脱着も容易であってメンテナンスの便宜性が向上するだけでなく、一般な工作機械を用いた加工及び製作が容易であって製作の便宜性も向上する。
【００６４】
前記補強ワイヤー５０は、前記ライナー１０の外周面全体を包み込むように巻き取られるが、補強ワイヤー５０の両端部が前記締結部材４０に取り付けられて固定されることにより、ライナー１０の強度を補強する。
【００６５】
つまり、補強ワイヤー５０は、前記ライナー１０の中空部１０１に充填される高圧ガスによってライナー１０に加わるフープ応力（Ｈｏｏｐ  ｓｔｒｅｓｓ）を支持するために、ライナー１０の外周面全体を包み込むように巻き取られる。
【００６６】
前記補強ワイヤー５０の材質は、金属素材であることが好ましいが、これに限定されるものではなく、炭素繊維、ガラス繊維などで製作されたものを使用してもよい。
また、補強ワイヤー５０の直径は限定しないが、補強ワイヤー５０の直径が太い場合には、ライナー１０に巻き取られた補強ワイヤー５０間の空隙が大きくなって内圧を十分に支持することができないだけでなく、巻取りの際に比較的大きい動力がかかる。
【００６７】
したがって、補強ワイヤー５０は、直径が小さいものを使用した方が、補強ワイヤー５０間の空隙を減少させる観点と巻き取り動力の観点で有利である。
【００６８】
補強ワイヤー５０の直径は０．００５ｍｍ〜２．５ｍｍの範囲とすることが好ましい。
【００６９】
一方、補強ワイヤー５０は、前記ライナー１０の両端部に螺合される締結部材４０の間でライナー１０の外周面に巻き取られ、その両端部が前記締結部材４０に固定されることにより、締結部材４０が、ライナー１０の外周面に巻き取られる補強ワイヤー５０の巻取り構造が維持されるように補強ワイヤー５０の側面を支持する。
【００７０】
したがって、前記締結部材４０の中心から締結部材４０の外周面までの距離は、ライナー１０の中心からライナー１０に巻き取られて積層される最外郭の補強ワイヤー５０の外側表面までの距離よりも大きくすることにより、補強ワイヤー５０が地面と接触したり外部物体との衝突により損傷したりすることを防止することができるようにすることが好ましい。
一方、ライナー１０に巻き取られた補強ワイヤー５０の繰り出しを防止するために補強ワイヤー５０の両端部を締結部材４０に取り付けて固定するが、補強ワイヤー５０の素材に応じて半田付けまたは溶接して固定することができる。
【００７１】
従来では、補強ワイヤー５０をライナー１０に溶接すると、溶接棒とライナー１０が高温にさらされながら溶接棒とライナー１０が同時に溶けて溶接が行われる。この時、ライナー１０の溶接部位は熱損傷を受けて強度上脆弱になる。
【００７２】
したがって、補強ワイヤー５０の両端部を前記締結部材４０に取り付けて固定することにより、ライナー１０に直接加わる熱損傷を最小限に抑えることができる。
【００７３】
図５は本発明の高圧ガス貯蔵用圧力容器の締結部材の別の実施形態を示す一端部の断面図である。
【００７４】
次に、図５を参照して説明する。
前記締結部材４０の内側端部には、前記補強ワイヤー５０の端部が挿入されて溶接される挿入溝４０４をさらに備えることができる。
【００７５】
この際、前記挿入溝４０４は、一直線状、ジグザグ状、或いは直角状に形成することができる。
【００７６】
したがって、前記挿入溝４０４に補強ワイヤー５０の端部を挿入した状態で半田付けまたは溶接して補強ワイヤー５０を固定することにより、補強ワイヤー５０の固定がより強固になる。
【００７７】
図６は本発明の高圧ガス貯蔵用圧力容器の第２シール部材、漏れ誘導孔及びガス漏れ検知手段を示す一端部の断面図、図７は本発明の高圧ガス貯蔵用圧力容器の第２シール部材と漏れ誘導孔の別の実施形態を示す一端部の断面図、図８は本発明の高圧ガス貯蔵用圧力容器のガス漏れ検知手段の別の実施形態を示す一端部の断面図である。
【００７８】
次に、図６乃至図８を参照して説明する。
前記ライナー１０の端部とインサート２０の内面との間には、前記第１シール部材３０よりもさらに大きい直径を有する第２シール部材３１をさらに備えることができる。
【００７９】
すなわち、前記ライナー１０の端部には環状の第３設置溝１０５を形成し、前記第３設置溝１０５の内部に前記第２シール部材３１を挿設することが好ましい。
【００８０】
また、第２シール部材３１は、インサート２０の内面に環状の第４設置溝２０４を形成し、その内部に挿設することも可能である。
【００８１】
前記第２シール部材３１は、ライナー１０の端部とインサート２０の内面との間に介在するが、第１シール部材３０よりもさらに大きい直径により、第１シール部材３０の外側に設置されることにより、第１シール部材３０から漏れたガスの気密を保つ。
【００８２】
第２シール部材３１は、前記第１シール部材３０と同様に、弾性変形が可能なゴム、合成ゴム材でできたＯリングを使用することが好ましいが、これに限定するものではなく、金属材でできたＯリングを使用してもよい。
【００８３】
前記インサート２０には、漏れ誘導孔２０５をさらに備えることができる。
前記漏れ誘導孔２０５は前記内面から外面に貫通するように形成されるが、漏れ誘導孔２０５の内側入口は前記第１シール部材３０と第２シール部材３１との間に位置し、漏れ誘導孔２０５の外側出口にはガス漏れ検知手段６０が設置される。
【００８４】
前記漏れ誘導孔２０５の外側出口には、前記ガス漏れ検知手段６０の設置が容易となるようにねじ山を形成することが好ましい。
【００８５】
したがって、前記第１シール部材３０からガスが漏れると、漏れたガスは、第２シール部材３１によってライナー１０の端部とインサート２０の内面との間から漏れず、前記漏れ誘導孔２０５を介して排出される。
【００８６】
このとき、漏れ誘導孔２０５の外側端部に設置されたガス漏れ検知手段６０によってガス漏れが直ちに検知されることにより、ガス漏れによる迅速な対処が可能となる。
【００８７】
併せて、前記第１シール部材３０のいずれかの箇所でガスが漏れても、漏れたガスは第２シール部材３１によって漏れ誘導孔２０５を介した排出が誘導されるため、より正確な漏れ検知が行われ得る。
【００８８】
前記ガス漏れ検知手段６０は、図６に示すように、前記第１シール部材３０から漏れるガスと反応して色が変わる変色表示部６０１を備えることができる。
【００８９】
前記変色表示部６０１は、漏れガスとの反応を介して変色されることにより、変色有無の確認からガス漏れ有無を迅速かつ簡単に確認することができる。
【００９０】
特に、高圧で充電される水素のように漏れの際に爆発リスクのある危険なガスの場合は、管理者がガス漏れ有無の確認のための別途機器の操作なしにも変色表示部６０１の目視によってガス漏れ有無を確認することができるので、ガス漏れの際に、換気や可燃性火気の接近制限などの迅速な安全措置をとることができるという利点がある。
【００９１】
一方、前記変色表示部６０１は、本発明の高圧ガス貯蔵用圧力容器に充填されるガスの種類に応じて、化学的変色が起こる様々な物質を選択的に構成することにより、様々な種類のガス漏れに対応することができる。
【００９２】
また、前記ガス漏れ検知手段６０は、図７に示すように、前記第１シール部材３０から漏れるガスの圧力を検知する圧力検知部６０２を備えることができる。
【００９３】
前記圧力検知部６０２は、圧力の変化を検知する圧力センサーを使用することが好ましいが、これに限定されるものではないことを予め明らかにおく。
【００９４】
圧力検知部６０２として圧力センサーを使用する場合、微細なガス漏れによる圧力変化の検知によってガス漏れ有無を迅速かつ簡単に確認することができるのみならず、圧力センサーの価格が非常に安いので漏れガス検知による経済性にも優れるという利点がある。
【００９５】
前記ガス漏れ検知手段６０は、図８に示すように、ガス検知部６０３、無線送信部６０４、無線受信部６０５及び通知部６０６を含むことができる。
【００９６】
前記ガス検知部６０３は、前記漏れ誘導孔２０５を介して漏れるガスを検知する。
このとき、漏れるガスを検知する方法は、限定しないが、ガスの種類に応じてガスに反応して色が変わる変色表示手段を使用するか、或いはガス漏れの際に変化する圧力を検知する圧力検知手段を使用することができる。
【００９７】
前記無線送信部６０４は、前記ガス検知部６０３の漏れ検知による通知信号を送信する。このとき、前記通知信号には、高圧ガス貯蔵用圧力容器の区分のための識別コードを含むことが好ましい。
【００９８】
また、無線送信部６０４は、通常の近距離無線通信手段を使用することが好ましく、前記無線送信部６０４の作動のために、交換可能なバッテリーを備えるのは当然である。
【００９９】
前記無線受信部６０５は、本発明の高圧ガス貯蔵用圧力容器から所定の距離だけ離れるように設置され、前記無線送信部６０４に送信される無線信号を受信することができるように前記無線通信部と同じ通信規格を使用することが好ましい。
【０１００】
前記通知部６０６は、前記無線受信部６０５で受信された信号に応じてブザーや警光灯などの視聴覚的手段で出力されることにより、管理者がガス漏れ有無を直ちに認識するようにすることができる。
【符号の説明】
【０１０１】
１    高圧ガス貯蔵用圧力容器
１０    ライナー
１０１    中空部
１０２    雄ねじ部
１０３    第１設置溝
１０４    ねじリング
１０５    第３設置溝
２０    インサート
２０１    結合部
２０２    貫通孔
２０３    第２設置溝
２０４    第４設置溝
２０５    漏れ誘導孔
３０    第１シール部材
３１    第２シール部材
４０    締結部材
４０１    雌ねじ部
４０２    結合孔
４０３    カバーリング部
４０４    挿入溝
５０    補強ワイヤー
６０    ガス漏れ検知手段
６０１    変色表示部
６０２    圧力検知部
６０３    ガス検知部
６０４    無線送信部
６０５    無線受信部
６０６    通知部
【要約】
【課題】高圧ガス貯蔵用圧力容器を提供する。
【解決手段】本発明の高圧ガス貯蔵用圧力容器は、所定の直径の管体からなり、両端部に雄ねじ部が形成されたライナーと、外面に結合部が形成され、中心部には貫通孔が形成され、内面が前記ライナーの端部に密着するようにライナーの両端部に対称的に設置されるインサートと、前記ライナーの端部とインサートの内面との間に設置されて気密を保つ第１シール部材と、前記雄ねじ部に螺合される雌ねじ部を形成し、前記結合部が挿入される結合孔を備え、前記雄ねじ部に螺合されながら前記インサートをライナーの端部に加圧密着させる締結部材と、前記ライナーの外周面全体を包み込むように巻き取られ、両端部が前記締結部材に取り付けられて固定される補強ワイヤーとを含む。
【選択図】図１【図１】
0006757046.tif 000002
【図２】
0006757046.tif 000003
【図３】
0006757046.tif 000004
【図４】
0006757046.tif 000005
【図５】
0006757046.tif 000006
【図６】
0006757046.tif 000007
【図７】
0006757046.tif 000008
【図８】
0006757046.tif 000009